(57)【特許請求の範囲】
【請求項１】
前後に縦列された２基の昇降式駐車装置Ａ，Ｂからなり、各昇降式駐車装置は、昇降路内を昇降する主リフト（１１ａ，１１ｂ）と、昇降路を挟んで多段に設けられた駐車棚（１２）と、主リフトに内蔵され主リフトと駐車棚との間で車両を載せたパレットを幅方向に横送りして受渡しするパレット横送り装置（１４）と、を備え、さらに、入出庫フロアの前側主リフト（１１ａ）の片側に設けられた前用の入出庫スペース（１６ａ）と、前側主リフト（１１ａ）を挟んでその反対側に設けられた後用の入出庫スペース（１６ｂ）と、入出庫フロアの主リフト（１１ｂ）に隣接する位置と後用の入出庫スペース（１６ｂ）との間でパレットを縦送りするパレット縦送り装置（１８）とを備え、
前記主リフト（１１ａ，１１ｂ）は車両を載せたパレットを回転するロータリーテーブル（１９）を内蔵し、これにより、前側昇降式駐車装置Ａは入出庫フロア以外で、後側昇降式駐車装置Ｂは入出庫フロアでパッレトを旋回させる、ことを特徴とする２縦列型昇降式駐車装置。
【請求項２】
前後に縦列された２基の昇降式駐車装置Ａ，Ｂからなり、各昇降式駐車装置は、昇降路内を昇降する主リフト（１１ａ，１１ｂ）と、昇降路を挟んで多段に設けられた駐車棚（１２）と、主リフトに内蔵され主リフトと駐車棚との間で車両を載せたパレットを幅方向に横送りして受渡しするパレット横送り装置（１４）と、を備え、さらに、入出庫フロアの前側主リフト（１１ａ）の横方向片側に設けられた前用の入出庫スペース（１６ａ）と、前側主リフト（１１ａ）を挟んでその横方向反対側に設けられた後用の入出庫スペース（１６ｂ）と、入出庫フロアの主リフト（１１ｂ）に隣接する位置と後用の入出庫スペース（１６ｂ）との間でパレットを縦送りするパレット縦送り装置（１８）とを備え、
前記前側主リフト（１１ａ）は車両を載せたパレットを回転するロータリーテーブル（１９）を内蔵し、これにより、前側昇降式駐車装置Ａは入出庫フロア以外で、パレットを１８０度旋回させる、ことを特徴とする２縦列型昇降式駐車装置。
【請求項３】
前記入出庫フロアは、駐車装置の最下段、最上段、又は中間位置に設けられる、ことを特徴とする請求項１又は２に記載の２縦列型昇降式駐車装置。
【発明の詳細な説明】
【０００１】
【発明の属する技術分野】
本発明は昇降式駐車装置に係り、特に昇降式駐車装置を縦方向に２列並べた２縦列型昇降式駐車装置に関する。
【０００２】
【従来の技術】
昇降路内を昇降するリフトと、昇降路に沿ってその両側に多段に設けられた駐車棚とを有し、リフトにより車両を搬送して駐車棚に格納する昇降式駐車装置（エレベータパーキング）が従来から用いられている。また、かかる昇降式駐車装置の駐車台数を増すため、縦方向（車の長手方向）に２列並べて配置する２縦列型昇降式駐車装置がある。
【０００３】
図２は、最も基本的な２縦列型昇降式駐車装置（２縦列エレベータパーキング）の模式図である。この図において、（Ａ）は正面図、（Ｂ）は１階の平面図、（Ｃ）は２階以上の平面図である。入出庫口は１階正面に１つだけあり、前後の駐車装置はそれぞれ単独のエレベータパーキングとして作動し、車両１を１階でリフト２上に載せ、リフト２により車両１を昇降路に沿って昇降させ、その両側に多段に設けられた駐車棚３に格納する。また、リフト２にはロータリーテーブル（図示せず）を内蔵しており、１階で車両１を載せたパレットを１８０度回転させることにより、入庫・出庫の両方を前進でできるようになっている。以下、この構造の２縦列型昇降式駐車装置を「直接乗込縦列ターンテーブル内蔵型駐車装置」と呼ぶ。
【０００４】
図３は、別の形式の２縦列型昇降式駐車装置の模式図である。この図において、（Ａ）は正面図、（Ｂ）は１階の平面図、（Ｃ）は２階の平面図、（Ｄ）は３階以上の平面図である。入出庫口は１階正面に１つだけあり、前後の駐車装置の２階以上はそれぞれ単独のエレベータパーキングとして作動し、車両１を２階でリフト２上に載せ、リフト２により車両１を昇降路に沿って昇降させ、その両側に多段に設けられた駐車棚３に格納する。また１階と２階の間を昇降する補助リフト４が入出庫部の両側に設けられ、更に入出庫部の車両を左右いずれかの補助リフト４に移載する横行装置５が入出庫部に設けられ、入出庫部に入庫した車両１を補助リフト４で両側の２階まで上昇させる。更に２階には、車両１を前後に移動する縦行装置６が設けられ、縦行装置６を介して奥側のリフト２上に載せ、これにより奥側の駐車棚３に格納することができる。また、入出庫部にはロータリーテーブルが内蔵されており、１階で車両１を載せたパレットを１８０度回転させることにより、入庫・出庫の両方を前進でできるようになっている。以下、この構造の２縦列型昇降式駐車装置を「補助リフト付昇降式駐車装置」と呼ぶ。
【０００５】
【発明が解決しようとする課題】
上述した従来の２縦列型昇降式駐車装置には以下の問題点があった。
図２の「直接乗込縦列ターンテーブル内蔵型駐車装置」は、構造はシンプルであるが、入庫作業を手前と奥で並行してできず、そのため入出庫時の円滑性が悪い問題点があった。すなわち、出入口が１ケ所のため、奥側の入出庫作業中には、手前側は２階以上で待機する必要があり、手前側の入出庫作業中には、奥側は１階までは作動できるがそこで待機する必要があった。
【０００６】
また、図３の「補助リフト付昇降式駐車装置」は、手前と奥の駐車装置の入出庫を左右の２台の補助リフトを用いて同時に並行してできるので、その分円滑性は高いが、やはり出入口が１ケ所のため、１台が入出庫作業中には次の車両は２階で待機する必要があり、その分、入出庫時の円滑性が悪い問題点があった。
【０００７】
本発明は上述した問題点を解決するために創案されたものである。すなわち、本発明の目的は、手前と奥の駐車装置の入出庫作業が独立して並行にでき、これにより入出庫時の待機時間をなくし、入出庫時の円滑性を大幅に高めることができる２縦列型昇降式駐車装置を提供することにある。
【０００８】
【課題を解決するための手段】
本発明によれば、前後に縦列された２基の昇降式駐車装置Ａ，Ｂからなり、各昇降式駐車装置は、昇降路内を昇降する主リフト（１１ａ，１１ｂ）と、昇降路を挟んで多段に設けられた駐車棚（１２）と、主リフトに内蔵され主リフトと駐車棚との間で車両を載せたパレットを幅方向に横送りして受渡しするパレット横送り装置（１４）と、を備え、さらに、入出庫フロアの前側主リフト（１１ａ）の片側に設けられた前用の入出庫スペース（１６ａ）と、前側主リフト（１１ａ）を挟んでその反対側に設けられた後用の入出庫スペース（１６ｂ）と、入出庫フロアの主リフト（１１ｂ）に隣接する位置と後用の入出庫スペース（１６ｂ）との間でパレットを縦送りするパレット縦送り装置（１８）とを備え、前記主リフト（１１ａ，１１ｂ）は車両を載せたパレットを回転するロータリーテーブル（１９）を内蔵し、これにより、前側昇降式駐車装置Ａは入出庫フロア以外で、後側昇降式駐車装置Ｂは入出庫フロアでパッレトを旋回させる、ことを特徴とする２縦列型昇降式駐車装置が提供される。
また、本発明によれば、前後に縦列された２基の昇降式駐車装置Ａ，Ｂからなり、各昇降式駐車装置は、昇降路内を昇降する主リフト（１１ａ，１１ｂ）と、昇降路を挟んで多段に設けられた駐車棚（１２）と、主リフトに内蔵され主リフトと駐車棚との間で車両を載せたパレットを幅方向に横送りして受渡しするパレット横送り装置（１４）と、を備え、さらに、入出庫フロアの前側主リフト（１１ａ）の横方向片側に設けられた前用の入出庫スペース（１６ａ）と、前側主リフト（１１ａ）を挟んでその横方向反対側に設けられた後用の入出庫スペース（１６ｂ）と、入出庫フロアの主リフト（１１ｂ）に隣接する位置と後用の入出庫スペース（１６ｂ）との間でパレットを縦送りするパレット縦送り装置（１８）とを備え、前記前側主リフト（１１ａ）は車両を載せたパレットを回転するロータリーテーブル（１９）を内蔵し、これにより、前側昇降式駐車装置Ａは入出庫フロア以外で、パレットを１８０度旋回させる、ことを特徴とする２縦列型昇降式駐車装置が提供される。
【０００９】
上記本発明の構成によれば、入出庫フロアの前側主リフト（１１ａ）の両側に前用の入出庫スペース（１６ａ）と後用の入出庫スペース（１６ｂ）が設けられており、それぞれ独立に駐車棚（１２）に格納できるので、手前と奥の駐車装置の入出庫作業が独立して並行にできる。
【００１０】
すなわち、（１）出入口を２ケ所設置した駐車場で、入出庫作業は手前でそれぞれ独立して行うことができる。（２）次いで、前側はパレット横送り装置（１４）で前側主リフト（１１ａ）上に移載し、昇降して各駐車棚（１２）に格納する。（３）また並行して奥側へはパレット縦送り装置（１８）（トラバーサ）により、後側の主リフト（１１ｂ）に隣接する位置まで実車パレットを送り、後側の主リフト（１１ｂ）上に移載し、昇降して各駐車棚（１２）に格納する。なお出庫時はそれぞれ逆の動作になる。
上述した（１）〜（３）の作動により、手前と奥の駐車装置の入出庫作業が独立して並行にでき、これにより入出庫時の待機時間をなくし、入出庫時の円滑性を大幅に高めることができる。
【００１１】
また、前側は、入出庫フロア以外で旋回し、後側は入出庫フロアで旋回することにより、駐車スペースを犠牲にすることなく、入庫・出庫の両方を前進でできる。
【００１２】
また、前記入出庫フロアは、駐車装置の最下段、最上段、又は中間位置に設けられる。駐車装置の最下段、最上段、又は中間位置に入出庫フロアを設けることにより、ほぼ同一の構成でそれぞれ下部乗込、上部乗込又は中間乗込の２縦列型昇降式駐車装置とすることができる。
【００１３】
【発明の実施の形態】
以下本発明の好ましい実施形態について図面を参照しつつ説明する。図１は本発明の２縦列型昇降式駐車装置の模式図である。この図において、（Ａ）は正面図、（Ｂ）は１階の平面図、（Ｃ）は２階以上の平面図である。
【００１４】
図１に示すように、本発明の２縦列型昇降式駐車装置１０は、前後に縦列された２基の昇降式駐車装置Ａ，Ｂからなる。またこの例では、入出庫フロアは、１階フロア、すなわち、駐車装置の最下段に設けられるている。
【００１５】
各昇降式駐車装置Ａ，Ｂは、主リフト１１ａ，１１ｂ、駐車棚１２及びパレット横送り装置１４を備える。主リフト１１ａ，１１ｂは、１階を含むすべての昇降路７内を昇降する。駐車棚１２は、昇降路７を挟んで１階以外に多段に設けられる。パレット横送り装置１４は、主リフト１１ａ，１１ｂにそれぞれ内蔵されている。このパレット横送り装置１４により、主リフト１１ａ，１１ｂと駐車棚１２との間で車両１を載せたパレット（図示せず）を幅方向に横送りし、受渡しするようになっている。主リフト１１ａ，１１ｂ、駐車棚１２及びパレット横送り装置１４は、従来の周知の構造と同一である。また以上の構成は、前後の昇降式駐車装置Ａ，Ｂで共通である。
【００１６】
本発明の２縦列型昇降式駐車装置１０は、さらに、前用の入出庫スペース１６ａ、後用の入出庫スペース１６ｂおよびパレット縦送り装置１８を備える。前用の入出庫スペース１６ａは、入出庫フロア（この例では１階）の前側主リフト１１ａの片側（図で右側）に設けられている。後用の入出庫スペース１６ｂは、前側主リフト１１ａを挟んでその反対側（図で左側）に設けられる。なお、前後用の入出庫スペース１６ａ、１６ｂは左右反対側であってもよい。また、パレット縦送り装置１８は、入出庫フロア（１階）の後用の主リフト１１ｂに隣接する位置と、前側にある後用の入出庫スペース１６ｂとの間で車両１を載せたパレットを前後に縦送りするようになっている。パレット縦送り装置１８は、図３に例示した装置と同様である。
【００１７】
さらに、主リフト１１ａ，１１ｂはロータリーテーブル１９を内蔵し、車両１を載せたパレットを主リフト上で水平に回転（旋回）し、前進向きを１８０度変えるようになっている。ロータリーテーブル１９の構造は従来例と同様である。この構成により、前側昇降式駐車装置Ａは入出庫フロア以外（例えば２階）でパレットを旋回させることができ、後側昇降式駐車装置Ｂは入出庫フロア（１階）でパレットを旋回させることができる。
【００１８】
上述した本発明の構成によれば、入出庫フロア（１階）の前側主リフト１１ａの両側に前用の入出庫スペース１６ａと後用の入出庫スペース１６ｂの両方が設けられており、それぞれ独立に駐車棚１２に格納できるので、手前と奥の駐車装置の入出庫作業が独立して並行にできる。
【００１９】
すなわち、（１）出入口を２ケ所設置した駐車場Ａ，Ｂで、入出庫作業は前側でそれぞれ独立して行うことができる。（２）次いで、前側駐車場Ａ用の車両１はパレット横送り装置１４で前側主リフト１１ａ上に移載し、昇降して前側駐車場Ａの各駐車棚１２に格納する。（３）また後側駐車場Ｂ用の車両１は、並行してパレット縦送り装置１８（トラバーサ）により、後側の主リフト１１ｂに隣接する位置まで車両１を載せたパレットを送り、次いで後側の主リフト１１ｂ上に移載し、昇降して後側駐車場Ｂの各駐車棚１２に格納する。なお出庫動作はそれぞれ逆の動作になる。
従って上述した（１）〜（３）の動作により、前後の駐車装置Ａ，Ｂの入出庫作業が独立して並行にでき、これにより入出庫時の待機時間をなくし、入出庫時の円滑性を大幅に高めることができる。
【００２０】
また、主リフト１１ａ，１１ｂに内臓したロータリーテーブル１９により、前側は入出庫フロア以外（例えば２階）で旋回し、後側は入出庫フロア（１階）で旋回することにより、駐車スペースを犠牲にすることなく、入庫・出庫の両方を前進でできる。
【００２１】
なお本発明は上述した実施形態に限定されず、発明の要旨を逸脱しない範囲で種々の変更が可能である。  例えば、入出庫フロアを、駐車装置の最上段又は中間位置に設けることにより、下部乗込とほぼ同一の構成でそれぞれ上部乗込又は中間乗込の  ２縦列型昇降式駐車装置とすることができる。
【００２２】
【発明の効果】
上述したように本発明の２縦列型昇降式駐車装置は、デパート等、入出庫作業時間が長くなりやすい駐車場で特に有利であり、手前と奥の駐車装置の入出庫作業が独立して並行にでき、これにより入出庫時の待機時間をなくし、入出庫時の円滑性を大幅に高めることができる、等の優れた効果を有する。
【図面の簡単な説明】
【図１】本発明の２縦列型昇降式駐車装置の模式図である。
【図２】従来の２縦列型昇降式駐車装置の模式図である。
【図３】従来の別の２縦列型昇降式駐車装置の模式図である。
【符号の説明】
１  車両
２  昇降リフト
３  駐車棚
４  補助リフト
５  横行装置
６  縦行装置
７  昇降路
１０  ２縦列型昇降式駐車装置
１１ａ，１１ｂ  主リフト
１２  駐車棚
１４  パレット横送り装置
１６ａ，１６ｂ  入出庫スペース
１８  パレット縦送り装置
【図１】
0004282176.tif 000002
【図２】
0004282176.tif 000003
【図３】
0004282176.tif 000004